(57)【要約】【課題】浴槽底面のうち必要十分な領域に滑り止めパターンを設け、入浴者の快適さを損なわず、工数やコストを増大させることなく浴槽内における入浴者の安全を確保する浴槽を提供。【解決手段】浴槽底面のうち、浴槽内に座る入浴者の臀部が配置されることを目的とした臀部載置部３２以外の領域３０に、滑り止めパターンが形成されている。また、周辺の浴槽縁１６Ｂ、１６Ｃより低く形成されている浴槽縁１６Ａに隣接している領域３０Ａ、あるいは、浴槽１０内に座った入浴者に把持されて入浴者が立ち上がることを目的とする手すり７０に隣接する領域３０Ｂに滑り止めパターンが形成されている。滑り止めパターンは、溝で区切られ千鳥状に配置された多数の隆起部を含み、隆起部の上面には上部平面部が備えられ、溝には下部平面部が備えられ、上部平面部の輪郭は楕円形状である。【選択図】図６
2008110074.tif 000002
【特許請求の範囲】
【請求項１】
浴槽底面のうち、浴槽内に座る入浴者の臀部が配置されることを目的とした臀部載置部以外の領域に、滑り止めパターンが形成されていることを特徴とする浴槽。
【請求項２】
浴槽底面のうち、浴槽縁であって周辺より低く形成されている部位に隣接する領域に、滑り止めパターンが形成されていることを特徴とする浴槽。
【請求項３】
浴槽底面のうち、浴槽内に座った入浴者に把持されて該入浴者が立ち上がることを目的とする手すりに隣接する領域に、滑り止めパターンが形成されていることを特徴とする浴槽。
【請求項４】
前記滑り止めパターンは、溝で区切られ千鳥状に配置された多数の隆起部を含み、
前記隆起部の上面には上部平面部が備えられ、前記溝には下部平面部が備えられ、
前記上部平面部の輪郭は楕円形状であることを特徴とする請求項１から３までのいずれかに記載の浴槽。
【請求項５】
前記上部平面部の最短直線部を含む断面について、
前記上部平面部から下部平面部までの深さは０．１４ｍｍ〜０．４ｍｍであり、
前記下部平面部と上位平面部との間の傾斜の角度は２０°〜７０°であり、
隣接する前記上部平面部間の距離は０．７ｍｍ〜１．９ｍｍであり、
前記下部平面部の幅は０．２ｍｍ〜１．７ｍｍであることを特徴とする、請求項１から４までのいずれかに記載の浴槽。
【請求項６】
前記上部平面部に微細凹凸が設けられ、
前記微細凹凸は、算術平均粗さＲａが０．４μｍ〜５．０μｍであり、算術平均傾斜△ａが６°以上であることを特徴とする請求項１から５までのいずれかに記載の浴槽。
【発明の詳細な説明】
【技術分野】
【０００１】
本発明は、浴槽に関するものである。
【背景技術】
【０００２】
従来、特許文献１〜３（特開２００６−９５１０号公報、特開２００６−９５１３号公報および特開２００６−４６０３２号公報）に記載のように、浴室床面に形成された千鳥状の滑り止めパターンが知られている。
【０００３】
これらの文献のうち、特許文献３の段落０００１には、浴室床だけでなく浴槽の底にもかかる千鳥状の滑り止めパターンを形成することが示唆されている。また、特許文献４（特開２００６−６６６８号公報）には、千鳥状ではないものの、浴槽の底板にエンボス加工されたパターンを設けている。
【特許文献１】特開２００６−９５１０号公報
【特許文献２】特開２００６−９５１３号公報
【特許文献３】特開２００６−４６０３２号公報
【特許文献４】特開２００６−６６６８号公報
【発明の開示】
【発明が解決しようとする課題】
【０００４】
入浴者は浴槽に安全に入浴できるようにすべきところ、上述の特許文献１〜３では、専ら、浴室床面（洗い場）に設けた滑り止めパターンを開示していて、浴槽内での安全確保については言及されていない。特許文献３は、浴槽底面に滑り止めパターンを設けることを示唆しているものの、単なる示唆に留まっていて、浴槽底面に設けられた滑り止めパターンの具体的な構成については開示していない。
【０００５】
また特許文献４は、浴槽内に座った入浴者の臀部が滑るのを防止することを目的とするものであり、臀部以外の場所にもエンボス加工がなされ、直立した入浴者の安全確保措置はとられているが、その詳細は明らかになっていない。
【０００６】
浴槽底面の全体に滑り止めパターンを設ければ、安全確保措置としては十分であるが、不要な領域にまで滑り止めパターンを設けることにより、浴槽内に座る入浴者の快適さを損なうおそれがあるし、工数やコストの増大も招く。そこで、浴槽底面のうち、必要な領域にのみ滑り止めパターンを設けることが考えられるが、入浴者が入浴する際に浴槽底面に第一歩を踏み出す領域は、入浴者の入浴方法に応じて異なるものであり、必ずしも一定の領域になるとは限らない。また、入浴者が浴槽から出るときの作法も、入浴者の任意である。したがって、現状では、滑り止めパターンを浴槽底面のうち適切な場所に設けることができないおそれがある。
【０００７】
本発明はこのような課題に鑑み、浴槽底面のうち、必要十分な領域に滑り止めパターンを設けて、入浴者の快適さを損なわず、工数やコストの増大を招くことなく浴槽内における入浴者の安全を保つ浴槽を提供することを目的とする。
【課題を解決するための手段】
【０００８】
本発明による浴槽は、上述の課題を解決するために、浴槽底面のうち、浴槽内に座る入浴者の臀部が配置されることを目的とした臀部載置部以外の領域に、滑り止めパターンが形成されていることを特徴とする。本発明によれば、浴槽内に座る入浴者の臀部に滑り止めパターンが接触しないため、入浴者の快適さを損なうことがない。
【０００９】
また、本発明による浴槽は、上述の課題を解決するために、浴槽底面のうち、浴槽縁であって周辺より低く形成されている部位に隣接する領域に、滑り止めパターンが形成されていることを特徴とする。本発明によれば、入浴者の入浴動作が浴槽縁の形状によって誘導されていることに着目し、浴槽に進入する入浴者の足裏で最初に踏まれる領域に滑り止めパターンが設けられ、入浴時の安全が確保される。
【００１０】
さらに、本発明による浴槽は、浴槽底面のうち、浴槽内に座った入浴者に把持されて入浴者が立ち上がることを目的とする手すりに隣接する領域に、滑り止めパターンが形成されていることを特徴とする。本発明によれば、入浴者の浴槽からの退出動作が手すりによって誘導されていることに着目し、手すりを把持して立ち上がろうとする入浴者の足裏で踏まれる領域に滑り止めパターンが設けられ、浴槽からの退出時の安全が確保される。
【００１１】
上述の滑り止めパターンは、溝で区切られ千鳥状に配置された多数の隆起部を含み、隆起部の上面には上部平面部が備えられ、溝には下部平面部が備えられ、上部平面部の輪郭は楕円形状としてよい。
【００１２】
上部平面部の最短直線部を含む断面について、上部平面部から下部平面部までの深さは０．１４ｍｍ〜０．４ｍｍであり、下部平面部と上位平面部との間の傾斜の角度は２０°〜７０°であり、隣接する上部平面部間の距離は０．７ｍｍ〜１．９ｍｍであり、下部平面部の幅は０．２ｍｍ〜１．７ｍｍであることとしてよい。
【００１３】
上部平面部に微細凹凸が設けられ、微細凹凸は、算術平均粗さＲａが０．４μｍ〜５．０μｍであり、算術平均傾斜△ａが６°以上としてよい。
【発明の効果】
【００１４】
本発明によれば、必要十分な領域にのみ滑り止めパターンを設けることができ、入浴者の快適さを損なわず、工数やコストを増加させることなく、浴槽内での入浴者の安全を保つことができる。
【発明を実施するための最良の形態】
【００１５】
次に添付図面を参照して本発明による浴槽の実施形態を詳細に説明する。なお、各図面において、本発明に直接関係のない要素は省略し、同様の要素は同一の参照符号で指示するものとする。
【００１６】
図１は本発明による浴槽の第１の実施形態を示す平面図である。浴槽１０は浴槽底面１２と、その周囲の傾斜した浴槽側壁１４と、さらにその周囲でもっとも高所に位置する浴槽縁１６とで構成されている。
【００１７】
図２は図１に示す浴槽底面１２の傾斜を示す図である。図２に示すように、浴槽底面１２は、水抜き栓２０を中心として２°の傾斜を有し、浴槽側壁１４に向かって高さが増加している。浴槽底面１２は、実質的に水平な面であってもよいし、本実施形態のように、水平面から２°程度まで傾斜している面であってもよい。
【００１８】
図１の二点鎖線２２は、上述の浴槽底面１２の２°勾配と、浴槽側壁１４から続く曲率半径６０ｍｍ程度の湾曲部とが接する位置を示す。さらにその内部に１０ｍｍ程度のマージンを経て、斜線部で示す領域３０の全部または一部に、滑り止めパターンを設ける。
【００１９】
傾斜した浴槽側壁１４の途中には実質的に平面状で浴槽縁１６の一部をなす腰掛部１６Ｂが設けられている。浴槽底面１２は、短手方向の分割線３１によって、図１における左右２つの領域、すなわち斜線部領域３０と、浴槽内に座る入浴者の臀部が配置されることを目的とした臀部載置部３２とに分割される。そして、臀部載置部３２以外の領域３０に、滑り止めパターンが形成されている。かかる構成によれば、浴槽内に座る入浴者の臀部に滑り止めパターンが接触しないため、入浴者の快適さを損なうことがない。
【００２０】
また、かかる構成によれば、入浴者は入浴する際、まず腰掛部１６Ｂに腰掛ける。そして足を領域３０に最初に踏み出すこととなる。このように、本実施形態では、腰掛部１６Ｂによって、入浴者の動作を誘導し、領域３０が、浴槽１０に進入する入浴者の足裏で最初に踏まれる領域、すなわち、入浴者が第一歩を踏み出す領域となるよう構成されている。かかる領域３０に滑り止めパターンを設けることにより、浴槽１０内における入浴者の安全が確保される。
【００２１】
図３は図１に示す浴槽１０のＡ−Ａ断面図である。図３および図１に示すように、浴槽側壁１４のうち相対的に緩やかに傾斜している背もたれ部１４Ａと、幅を大きくとって緩やかに湾曲している頭部載置部１４Ｂと、足掛け部３６とによって、入浴者が浴槽１０内に座る方向は決定されている。すなわち、図１および図３の左側に足を向け、右側の背もたれ部１４Ａおよび頭部載置部１４Ｂに背および頭部を当接させて入浴することとなる。かかる方向性が決定されている構成からも、領域３０は、浴槽１０に進入する入浴者の足裏で最初に踏まれる領域となっていて、そのような領域３０に滑り止めパターンを設けることは有効な安全確保策であることは明らかである。
【００２２】
図４は領域３０に形成された滑り止めパターンを示す図であり、滑り止めパターンの部分拡大平面図とそのＢ−Ｂ断面図である。滑り止めパターンは、浴槽１０の材料であるアクリル系の液体樹脂を用い、これを金型で滑り止めパターン形状に注型によって成型する。図４に示すように、領域３０には、溝４０によって区切られた多数の隆起部５０が形成されている。隆起部５０は各々が孤立しているが、溝４０は連続している。隆起部５０の輪郭は、長方形の角を丸く形成した楕円形状であって、各々が独立して形成され、交互に位置をずらした千鳥状に配置されている。
【００２３】
図４のＢ−Ｂ断面図に示すように、隆起部５０の上面には上部平面部５２が備えられ、溝４０には下部平面部５４が備えられている。上部平面部５２および下部平面部５４の断面は直線状となっている。上部平面部５２と下部平面部５４との間には、傾斜部５６が形成されている。傾斜部５６は、隆起部５０の側面であって、上部平面部５２の周辺を構成している。
【００２４】
なお傾斜部５６の断面は直線状であるが、製造上の都合により傾斜部５６と下部平面部５４との間には第１中間部が形成されており、曲率半径０．１５ｍｍの円弧状となっている。同様に傾斜部５６と上部平面部５２との間には第２中間部が形成されており、曲率半径０．４５ｍｍの略円弧状となっている。ただし本実施形態においては、説明の簡便のため、下部平面部５４と傾斜部５６の延長線の交点間を「下部平面部の幅＝０．４ｍｍ」とし、上部平面部５２と傾斜部５６の延長線の交点間を「隣接する上部平面部間の距離＝０．９ｍｍ」とする。なお、図中の寸法はすべて単位がｍｍであり、これらの寸法は例示にすぎない。
【００２５】
上部平面部から下部平面部までの深さは、０．１４〜０．４ｍｍ、さらには０．２ｍｍ〜０．３ｍｍであることが好ましく、図４のＢ−Ｂ断面図では０．２５ｍｍとしている。溝の深さが０．４ｍｍより深いと、足裏との接触面積が少ないため滑りやすくなり、また溝部に汚れやカビが残りやすくなるためである。一方、０．１４ｍｍより浅いと、濡れた状態で床面の水の被膜が切れないために、滑り防止性が低下してしまうためである。したがって深さを上記範囲とすることにより、床面と足裏との接触面積を確保することができ、また水に濡れた状態でもエッジ効果が得られるため、高い滑り防止性を得ることができる。むしろ、乾いている状態より、水に濡れた状態の方が滑り止め効果は高い。隆起部５０は、すべて、長軸・短軸の方向が同一の楕円形状であるが、滑り止め効果はいかなる方向においても得られる。また清掃性がよく、自然乾燥が早いという効果も有している。
【００２６】
傾斜部５６の垂線からの角度は２０°〜７０°、さらには３０°〜６５°であることが好ましい。角度を２０°以上とすることにより、水が傾斜部５６と下部平面部５４のなす角部をつたって毛細管現象によって広がるため、表面張力によって寄り集まることなく、床面に薄く広く拡散する。このためすばやく自然乾燥することができ、乾燥性を向上させることができる。一方、角度が７０°より急峻となると、角部に汚れやカビが残りやすくなるため、清掃性が低下してしまう。すなわち、傾斜部５６の角度を上記範囲とすることにより、水がすばやく床面に広がり、局所的に水が残ることがほとんどないため、乾燥性がよい。また、掃除もしやすい。
【００２７】
隣接する上部平面部間の距離は０．７ｍｍ〜１．９ｍｍ、さらには０．８ｍｍ〜１．６ｍｍであることが好ましい。図４では上述の通り、０．９ｍｍとしている。上記範囲とすることにより水がすばやく床面に広がり、しかも溝の深さを上記範囲としたことと相まって、水が蒸発しやすく、自然乾燥が早い。
【００２８】
下部平面部の幅は０．２ｍｍ〜１．７ｍｍ、さらには０．２５ｍｍ〜１．５ｍｍであることが好ましい。図４では上述の通り、０．４ｍｍとしている。０．２ｍｍ以下では溝の断面積が小さすぎて水はけ性が悪くなるため好ましくなく、１．７ｍｍ以上では水膜が切れて寄り集まってしまうために水はけ性（濡れ性）が悪くなるためである。
【００２９】
上部平面部５２は平面形状において角を丸く形成していることが好ましく、本実施形態では楕円形に形成している。角を丸くすることにより、水が傾斜部５６と下部平面部５４のなす角部をつたって回り込むことができ、すばやく拡散することが可能だからである。したがって楕円形の他にも、円形や、角の丸い略多角形などであってもよい。
【００３０】
上部平面部５２および下部平面部５４には、摩擦係数を向上させるために所定の粗さを有する微細凹凸が形成されている。上部平面部５２の算術平均粗さＲａは０．４μｍ〜５．０μｍ、さらには０．５〜３．０μｍであることが好ましい。上記範囲とすることにより、上部平面部４２上に付着した水の表面張力を破壊し、水滴が形成されることを防止することができる。また素足で歩いたときのすべり抵抗を大きくすることができる。
【００３１】
また上部平面部５２の微細凹凸の算術平均傾斜△ａは６°以上、さらには６．３°以上であることが好ましい。算術平均傾斜△ａを上記範囲とすることにより、十分な滑り抵抗係数ＣＳＲ・Ｂ（Coefficient of Slip Resistance・Bathroom）を得ることができるためである。なおＣＳＲ・Ｂは、測定用の滑動体を測定装置で引いて滑らせたときの、引張最大荷重を鉛直荷重で除した値と引張最小荷重を鉛直荷重で除した値の和として算出することができる。
【００３２】
図５（ａ）は、滑り抵抗係数ＣＳＲ・Ｂと滑り評価尺度の関係を示す図である。図に示すように、ＣＳＲ・Ｂが０．８以上であると滑りにくくなり、安全であることがわかる。
【００３３】
ここで、本実施形態で用いる滑り止めパターンを設けた浴室床と比較例の浴室床について、乾いた状態と濡れた状態で２０人に素足で浴室床を歩いてもらい、比較感応的試験を行った。なお比較例としては、下部平面部の幅または隣接する上部平面部間の距離が上記範囲にないものを用いた。試験結果を図５（ｂ）に示す。本実施形態では上記構成の隆起部５０が形成されていることにより、水が床表面にあると、毛細管現象や水の表面張力作用により床方向（足の裏が吸い付く方向）に力が働くと考えられる。その結果として、滑りにくさが体感されると考えられる。
【００３４】
すなわち本実施形態の構成によれば、浴槽１０の形状によって入浴者の入浴動作を誘導することにより、入浴者の足裏で最初に踏まれるよう構成されている、浴槽底面の特定の箇所（第１歩を踏み出す場所）に上記構成の多数の隆起部５０を形成したことにより、浴槽における滑り防止性を向上させ、安全かつ快適に入室することができる。また、滑り止めパターンは浴槽底面の全体でなく、領域３０に限って設けるため、工数やコストの増大を招かない。
【００３５】
図６は図１に示す浴槽１０を浴室６１に配置した図である。図６において、浴槽１０に進入する入浴者の足裏で最初に踏まれるよう構成され、図４に示した滑り止めパターンが設けられた領域３０Ａを斜線部で示す。図６には、図１に示した領域３０も示していて、領域３０Ａは、領域３０の一部をなす。このように、本実施形態で新たに示す領域３０Ａは、より狭い領域に絞って滑り止めパターンを設けた領域である。
【００３６】
図６に示すように、浴槽縁１６Ａは、周辺の浴槽縁１６Ｂ、１６Ｃより低く形成されている部位である。このため、入浴者は、低く形成されている浴槽縁１６Ａを跨いで浴槽１０に進入するよう、誘導される。すると、浴槽１０に進入する入浴者の足裏で最初に踏まれるよう構成されているのは、周辺の浴槽縁１６Ｂ、１６Ｃより低く形成されている浴槽縁１６Ａに隣接している領域３０Ａであり、本実施形態では、この領域３０Ａに、滑り止めパターンが設けられている。これによれば、入浴者の入浴動作が浴槽縁の形状によって誘導されていることに着目し、浴槽に進入する入浴者の足裏で最初に踏まれる領域に滑り止めパターンが設けられ、入浴時の安全が確保される。
【００３７】
なお、領域３０Ａは、必ずしも、低く形成されている浴槽縁１６Ａの全域にわたって隣接している領域である必要はなく、図６に示すものより狭い、浴槽縁１６Ａの一部に隣接する領域であってもよい。
【００３８】
またここで、図１において検討した領域３０について別の観点から、図６を用いて考察すると、領域３０は領域３０Ｂを含み、領域３０Ｂは、浴槽１０内に座った入浴者に把持されて入浴者が立ち上がることを目的とする手すり７０に隣接する領域であり、この領域３０Ｂに、滑り止めパターンが形成されている。本実施形態で新たに示す領域３０Ｂも、より狭い領域に絞って滑り止めパターンを設けた領域である。これによれば、手すり７０を把持して立ち上がろうとする入浴者の足裏で踏まれる領域３０Ｂに滑り止めパターンが設けられ、浴槽１０からの退出時の安全が確保される。
【００３９】
なお、領域３０Ｂも、手すり７０の全域にわたって隣接している領域である必要はなく、図６に示すものより狭い、手すり７０の一部に隣接する領域であってもよい。
【００４０】
以上のように、浴槽１０や手すり７０によって入浴者の入浴動作が誘導されることに着目し、浴槽１０に進入する入浴者の足裏で最初に踏まれるよう構成されている領域３０Ａや、浴槽１０からの退出時に入浴者の足裏で踏まれる領域３０Ｂに滑り止めパターンを設けることは、浴槽１０内における入浴者の安全確保策として非常に有効である。
【００４１】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４２】
本発明は、浴槽に適用可能である。
【図面の簡単な説明】
【００４３】
【図１】本発明による浴槽の第１の実施形態を示す平面図である。
【図２】図１に示す浴槽底面の傾斜を示す図である。
【図３】図１に示す浴槽の断面図である。
【図４】図１の浴槽底面の所定の領域に形成された滑り止めパターンの部分拡大平面図とその断面図である。
【図５】（ａ）は、滑り抵抗係数ＣＳＲ・Ｂと滑り評価尺度の関係を示す図であり、（ｂ）は、滑り止めパターンを設けた浴室床と比較例の浴室床について、乾いた状態と濡れた状態で比較感応的試験の結果を示す図である。
【図６】図１に示す浴槽を浴室に配置した図である。
【符号の説明】
【００４４】
１０  浴槽
１４Ａ  背もたれ部
１６、１６Ａ、１６Ｂ、１６Ｃ  浴槽縁
３０、３０Ａ、３０Ｂ  浴槽底面の領域
３２  臀部載置部
３６  足掛け部
４０  溝
５０  隆起部
７０  手すり
【図１】
2008110074.tif 000003
【図２】
2008110074.tif 000004
【図３】
2008110074.tif 000005
【図４】
2008110074.tif 000006
【図５】
2008110074.tif 000007
【図６】
2008110074.tif 000008